(57)【要約】【課題】粉粒体供給装置を備えている水田作業機において、繰り出し部だけでなく、供給ダクトや排出ダクトのメンテナンス作業を行い易いものにすることが要望されていた。【解決手段】粉粒体供給装置１５に、粒状体を下方に繰り出す複数の繰り出し部３７と、粉粒体を案内する複数の案内ホース４０と、搬送風を供給するブロアと、貯留部の下方に位置してブロアから複数の案内ホースに搬送風を供給する供給ダクト４３と、供給ダクト４３内に残留する粉粒体をブロワからの送風により排出させる排出ダクト４４とが備えられ、粉粒体供給装置１５を、粉粒体供給用の作業位置、排出ダクトが外方に臨む状態で露出する第一位置、排出ダクト及び供給ダクトが外方に臨む状態で露出する第二位置の夫々にて位置保持可能な位置保持機構が備えられている。【選択図】図５
2020141612.tif 000002
【特許請求の範囲】
【請求項１】
圃場に粉粒体を供給する粉粒体供給装置が、機体側の固定フレームに横軸芯周りで回動可能に支持され、
前記粉粒体供給装置に、
粒状体を貯留する貯留部と、前記貯留部に貯留される粒状体を下方に繰り出す複数の繰り出し部と、繰り出された粉粒体を供給対象箇所に案内する複数の案内ホースと、前記案内ホースに搬送風を供給するブロアと、前記貯留部の下方に位置して前記ブロアから複数の前記案内ホースに搬送風を供給する供給ダクトと、前記供給ダクト内に残留する粉粒体を前記ブロアからの送風により排出させる排出ダクトとが備えられ、
前記粉粒体供給装置を、粉粒体供給用の作業位置、前記作業位置から前記横軸芯周りで所定方向に回動して前記排出ダクトが外方に臨む状態で露出する第一位置、前記第一位置よりも前記横軸芯周りで所定方向に回動して前記排出ダクト及び前記供給ダクトが外方に臨む状態で露出する第二位置の夫々にて位置保持可能な位置保持機構が備えられている水田作業機。
【請求項２】
前記粉粒体供給装置が前記作業位置から前記第一位置あるいは前記第二位置に姿勢変更するのに伴って、前記案内ホースが前記繰り出し部から着脱可能である請求項１に記載の水田作業機。
【請求項３】
前記粉粒体供給装置が前記作業位置から前記第一位置あるいは前記第二位置に姿勢変更するのに伴って、前記繰り出し部と前記排出ダクトを連結する排出具が前記繰り出し部から着脱可能である請求項１又は２に記載の水田作業機。
【請求項４】
前記粉粒体供給装置は、横軸芯周りに揺動して前記作業位置から前記第一位置に傾斜したとき、前記繰り出し部と前記排出ダクトを連結する排出具が、前記繰り出し部よりも機体前方に位置し且つ前記繰り出し部から着脱可能であり、前記第二位置に傾斜したとき、前記繰り出し部から機体後方にある前記案内ホースが前記繰り出し部から着脱可能である請求項１から３のいずれか1項に水田作業機。
【請求項５】
前記第二位置は、前記案内ホースへの前記供給ダクトからの供給口が圃場を向いている位置である請求項１から４のいずれか１項に記載の水田作業機。
【請求項６】
前記排出ダクトと前記供給ダクトとを一体的に保持するダクト保持具が備えられている請求項１から５のいずれか１項に記載の水田作業機。
【請求項７】
前記位置保持機構は、機体側の姿勢保持具が前記粉粒体供給装置側の単一の被係止部材に係合することにより、前記第一位置と前記第二位置との夫々にて位置保持可能である請求項１から６のいずれか1項に記載の水田作業機。
【請求項８】
前記姿勢保持具が、機体側の座席支持フレームに、機体側に引退する非作用状態と、前記粉粒体供給装置に張り出す作用状態とに姿勢変更可能に支持されている請求項７に記載の水田作業機。
【発明の詳細な説明】
【技術分野】
【０００１】
本発明は、乗用型田植機や乗用型直播機等のように、例えば、農用の肥料、薬剤及び種子等の粉粒体を圃場に供給する粉粒体供給装置を備えている水田作業機に関する。
【背景技術】
【０００２】
上記粉粒体供給装置には、粉粒体を貯留する貯留部、貯留部から粉粒体を繰り出す繰り出し部、繰り出された粉粒体を圃場に案内する案内ホース、供給ダクトを介して案内ホースに粉粒体搬送風を送風するブロア等が備えられている。又、ブロアにて送風されるダクトとして、供給ダクトの他に、作業終了後に供給ダクトに残留している粉粒体をブロアの風を利用して排出させるための排出ダクトが備えられている。そして、従来では、貯留部が、繰り出し部に接続された作業位置と、作業位置から略４０〜４５度程度傾斜するように横軸芯周りで回動することにより繰り出し部から分離して上方を開放する非作業位置とに切り換え可能に構成されたものがあった（例えば、特許文献１参照）。
【先行技術文献】
【特許文献】
【０００３】
【特許文献１】特開２０１８−５９号公報
【発明の概要】
【発明が解決しようとする課題】
【０００４】
上記従来構成では、貯留部を非作業位置に切り換えると、繰り出し部の上方が開放されるので、繰り出し部の内部の清掃等のメンテナンス作業は行い易いものになる。しかし、供給ダクトや排出ダクトは繰り出し部の下方側にそのまま残っている。そのうち、排出ダクト内の肥料は、ブロアの風を利用して排出できるが、供給ダクトは繰り出し部の下方側に位置しているので、メンテナンス作業が行い難いものとなっていた。
【０００５】
そこで、粉粒体供給装置を備えている水田作業機において、繰り出し部や排出ダクトだけでなく供給ダクトについてもメンテナンス作業を行い易いものにすることが要望されていた。
【課題を解決するための手段】
【０００６】
本発明に係る水田作業機の特徴構成は、圃場に粉粒体を供給する粉粒体供給装置が、機体側の固定フレームに横軸芯周りで回動可能に支持され、前記粉粒体供給装置に、粒状体を貯留する貯留部と、前記貯留部に貯留される粒状体を下方に繰り出す複数の繰り出し部と、繰り出された粉粒体を供給対象箇所に案内する複数の案内ホースと、前記案内ホースに搬送風を供給するブロアと、前記貯留部の下方に位置して前記ブロアから複数の案内ホースに搬送風を供給する供給ダクトと、前記供給ダクト内に残留する粉粒体を前記ブロワからの送風により排出させる排出ダクトとが備えられ、前記粉粒体供給装置を、粉粒体供給用の作業位置、前記作業位置から前記横軸芯周りで所定方向に回動して前記排出ダクトが外方に臨む状態で露出する第一位置、前記第一位置よりも前記横軸芯周りで所定方向に回動して前記排出ダクト及び前記供給ダクトが外方に臨む状態で露出する第二位置の夫々にて位置保持可能な位置保持機構が備えられている点にある。
【０００７】
本発明によれば、粉粒体供給装置を第一位置に切り換えると、排出ダクトについての清掃その他のメンテナンス作業を容易に行うことができる。又、第一位置では、粉粒体供給装置は作業位置から横軸芯周りで所定方向に回動しているので、排出ダクトだけでなく貯留部の下方側が開放されるので、貯留部と繰り出し部とを分離可能に構成しておくと、繰り出し部の内部のメンテナンス作業も行い易いものになる。
【０００８】
さらに、粉粒体供給装置を第二位置に切り換えると、排出ダクトだけでなく、供給ダクトも外方に臨む状態で露出することになる。その結果、排出ダクト及び供給ダクトの夫々に対するメンテナンス作業を容易に行うことができる。しかも、この第二位置では、第一位置よりもさらに大きく回動するので、貯留部の下方側が大きく開放されることになり、排出ダクトや供給ダクトだけでなく、繰り出し部の内部のメンテナンス作業もさらに行い易いものになる。
【０００９】
第二位置にまで大きく回動させる場合には、大型の装置である粉粒体供給装置が大きく回動するので、労力負担が大になるおそれがある。そこで、簡単な清掃作業や作動途中における一時的な点検等においては、第一位置における作業で対応することが可能である。このように、メンテナンス作業の内容に応じて、第一位置と第二位置とを使い分けて作業することで、メンテナンス作業が行い易いものになる。
【００１０】
従って、本発明によれば、粉粒体供給装置を備えている水田作業機において、繰り出し部や排出ダクトだけでなく供給ダクトについてもメンテナンス作業を行い易いものにすることが可能となった。
【００１１】
本発明においては、前記粉粒体供給装置が前記作業位置から前記第一位置あるいは前記第二位置に姿勢変更するのに伴って、前記案内ホースが前記繰り出し部から分離可能であると好適である。
【００１２】
本構成によれば、粉粒体供給装置を姿勢変更するのに伴って案内ホースが繰り出し部から着脱可能であるから、事前に案内ホースを繰り出し部から取り外しておく等の煩わしい作業が不要となり、メンテナンス作業がさらに行い易いものになる。
【００１３】
本発明においては、前記粉粒体供給装置が前記作業位置から前記第一位置あるいは前記第二位置に姿勢変更するのに伴って、前記繰り出し部と前記排出ダクトを連結する排出具が前記繰り出し部から着脱可能であると好適である。
【００１４】
本構成によれば、粉粒体供給装置を姿勢変更するのに伴って排出具を繰り出し部から着脱可能であるから、事前に排出具を繰り出し部から取り外しておく等の煩わしい作業が不要となり、メンテナンス作業がさらに行い易いものになる。
【００１５】
本発明においては、前記粉粒体供給装置は、横軸芯周りに揺動して前記作業位置から前記第一位置に傾斜したとき、前記繰り出し部と前記排出ダクトを連結する排出具が、前記繰り出し部よりも機体前方に位置し且つ前記繰り出し部から着脱可能であり、前記第二位置に傾斜したとき、前記繰り出し部から機体後方にある前記案内ホースが前記繰り出し部から着脱可能であると好適である。
【００１６】
本構成によれば、粉粒体供給装置が作業位置から第一位置へ姿勢変更したときに、排出具を繰り出し部から取り外すことにより排出ダクトを取り外すことができる。このとき、排出具は繰り出し部よりも機体前方に位置しているから、機体前方側から着脱作業を容易に行える。又、粉粒体供給装置が第二位置へ姿勢変更したときに、案内ホースを繰り出し部から取り外すことができる。このとき、案内ホースは繰り出し部よりも機体後方に位置しているから、機体後方側から着脱作業を容易に行える。
【００１７】
本発明においては、前記第二位置は、前記案内ホースへの前記供給ダクトからの供給口が圃場を向いている位置であると好適である。
【００１８】
本構成によれば、案内ホースを取り外した状態で供給口が圃場を向いている。つまり、供給口が下方に向いているので、供給ダクト内に残っている粉粒体がそのまま外方に落下排出されるので、清掃作業の手間が少ない。
【００１９】
本発明においては、前記排出ダクトと前記供給ダクトとを一体的に保持するダクト保持具が備えられていると好適である。
【００２０】
本構成によれば、排出ダクトと供給ダクトとはダクト保持具により一体的に保持されているから、メンテナンス作業において、排出ダクトと供給ダクトとを同時に取り外すことができ、それらを各別に取り外す場合に比べて効率よく作業を行うことができる。
【００２１】
本発明においては、前記位置保持機構は、機体側の姿勢保持具が前記粉粒体供給装置側の単一の被係止部材に係合することにより、前記第一位置と前記第二位置との夫々にて位置保持可能であると好適である。
【００２２】
本構成によれば、第一位置と第二位置との夫々において、単一の被係止部材を用いることで位置保持される構成としたから、部材を兼用することにより、位置保持機構の構成を簡素化することができる。
【００２３】
本発明においては、前記姿勢保持具が、機体側の座席支持フレームに、機体側に引退する非作用状態と、前記粉粒体供給装置に張り出す作用状態とに姿勢変更可能に支持されていると好適である。
【００２４】
本構成によれば、強度の大きい座席支持フレームを利用して、姿勢保持具を強固に安定的に支持することができる。
【図面の簡単な説明】
【００２５】
【図１】乗用型田植機の全体側面図である。
【図２】乗用型田植機の全体平面図である。
【図３】施肥装置の背面図である。
【図４】施肥装置の正面図である。
【図５】施肥装置の側面図である。
【図６】ステップ支持フレームの後部と施肥フレームとを示す斜視図である。
【図７】施肥装置の通風経路と車体との関係を示す平面図である。
【図８】第２支持部を示す平面図である。
【図９】第２支持部を示す斜視図である。
【図１０】施肥条数切替クラッチの操作構造を示す図である。
【図１１】全条停止機構の部材の取付構造を示す分解斜視図である。
【図１２】第一位置にあるときの施肥装置の側面図である。
【図１３】第二位置にあるときの施肥装置の側面図である。
【図１４】ダクト保持具を装着した状態の施肥装置の一部縦断側面図である。
【図１５】ダクト保持具を装着した状態の施肥装置の一部横断平面図である。
【図１６】別実施形態の第一位置にあるときの施肥装置の側面図である。
【図１７】別実施形態の第二位置にあるときの施肥装置の側面図である。
【発明を実施するための形態】
【００２６】
以下、本発明を実施するための形態の一例として、本発明を、水田作業機の一例である乗用型田植機に適用した実施形態を図面に基づいて説明する。
【００２７】
本実施形態では、以下の説明において、図１、図２、図５、図１２、図１３、図１６、図１７に示す矢印Ｆの方向を「前」、矢印Ｂの方向を「後」として、図２、図３、図４に示す矢印Ｌの方向を「左」、矢印Ｒの方向を「右」とする。また、図１、図３、図４、図５、図１２、図１３、図１６、図１７に示す矢印Ｕの方向を「上」、矢印Ｄの方向を「下」とする。
【００２８】
〔全体構成〕
乗用型田植機の全体構成について説明する。
図１に示すように、右及び左の前輪１、右及び左の後輪２で支持された走行車体３の後部に、上下揺動自在なリンク機構４が備えられて、リンク機構４の後部に４条植型式の苗植付装置５が昇降自在に支持され、リンク機構４を昇降駆動する油圧シリンダ６が備えられて、水田作業機の一例である乗用型田植機が構成されている。
【００２９】
走行車体３に、前後方向に沿って延びる右及び左の機体フレーム７が設けられている。機体フレーム７の前部にミッションケース８が連結され、ミッションケース８の前部にエンジン９が支持されている。走行車体３の後部側に搭乗運転部１０が備えられている。図２に示すように、搭乗運転部１０は、前輪操舵用のステアリングハンドル１１、搭乗ステップ１２、運転座席１３、及び、後部ステップ１４、などを備えている。搭乗運転部１０の後部側には、施肥装置１５が備えられている。
【００３０】
図５，６に示すように、機体フレーム７に支持される状態で搭乗ステップ１２及び後部ステップ１４を支持するステップ支持フレーム１６が備えられている。ステップ支持フレーム１６は、パイプ材からなり、搭乗ステップ１２の左右両側部に沿って前後方向に延び、且つ、後側部が連結されて略ループ状に設けられている。ステップ支持フレーム１６は、搭乗運転部１０の横側において上方に延び、後部ステップ１４を下方から支持する構成となっている。又、ステップ支持フレーム１６の後部は、左右の後輪２の車輪間隔よりも長い横幅を有しており、後輪フェンダ兼用のカバー部１７（図１参照）を備えている。図６に示すように、ステップ支持フレーム１６の後端部における左右両側に断面略Ｕ字形の連結部材１８が備えられ、左右の連結部材１８に亘って後部側の横向きフレーム体１９が連結されている。横向きフレーム体１９は、左右の機体フレーム７の上端部にて受止め支持されている。
【００３１】
図６に示すように、左右の機体フレーム７の後部は上下方向に幅広に形成され、その上端部から前上方に向けて左右の支持部材２０が延設されている。左右の支持部材２０の前端部同士に亘って運転座席１３の前部側を支持する前部側の座席支持フレーム２１が架設連結されている。左右の支持部材２０の基端部同士に亘って、運転座席１３の後部側を支持する正面視で略Ｕ字状の後部側の座席支持フレーム２２が架設連結されている。
【００３２】
図１に示すように、エンジン９からの動力は、ベルトテンション式の主クラッチ２３などを介して、主変速装置として備えた静油圧式無段変速装置２４に伝達している。そして、静油圧式無段変速装置２４による変速後の動力を、ミッションケース８の内部において第１動力と第２動力とに分岐している。第１動力は、ミッションケース８に内蔵したギア式の副変速装置（図示せず）に伝達している。そして、副変速装置による変速後の第１動力を、ミッションケース８の内部において走行用と施肥用とに分岐している。走行用の動力は、前輪伝動系（図示せず）を介して左右の前輪１に伝達し、後輪伝動系（図示せず）を介して左右の後輪２に伝達している。施肥用の動力は、ミッションケース８に内蔵した施肥クラッチ（図示せず）などを介して施肥装置１５に伝達している。第２動力は、ミッションケース８に内蔵したギア式の株間変速装置（図示せず）、植付クラッチ（図示せず）及びＰＴＯ軸２５を介して苗植付装置５に伝達している。
【００３３】
〔苗植付装置〕
図１及び図２に示すように、苗植付装置５は、ＰＴＯ軸２５から動力が伝達され且つその動力を各部に分配供給する動力分配機構２６、２個の植付伝動ケース２７、植付伝動ケース２７の後部の右及び左部に備えられた植付機構２８、田面を整地する整地フロート２９、植付用のマット状苗が載置される苗載せ台３０等、が備えられている。植付機構２８は、回転ケース３１と、回転ケース３１の両端部に備えられた一対の植付アーム３２等を備えている。
【００３４】
図示はしていないが、苗植付装置５には、苗載せ台３０を左右方向に一定ストロークで往復移動させる横送り機構、及び、苗載せ台３０に備えられた縦送りベルト３３を駆動する縦送り機構が備えられ、動力分配機構２６は、走行車体３からの動力を、各植付機構２８、横送り機構、縦送り機構に分配供給する。各植付機構２８は、動力分配機構２６からの動力により、苗載せ台３０とともに左右方向に往復移動するマット状苗の下端から所定量ずつの植付苗を切り取って整地フロート２９による整地後の圃場泥土部に植え付ける。各縦送り機構は、苗載せ台３０が左右のストローク端に達するごとに、動力分配機構２６からの動力により、対応するマット状苗を苗載せ台３０の下端に向けて所定ピッチで縦送りする。これらの作動により、苗植付装置５を最大４条の苗植えが可能な４条用に構成している。
【００３５】
〔施肥装置〕
次に、施肥装置１５について説明する。
図１〜５に示すように、施肥装置１５には、施肥装置全体を支持する施肥フレーム３５、粉粒体の一例としての肥料を貯留する貯留部としてのホッパー３６、貯留されている肥料をホッパー３６の下部から繰り出す左右の繰り出し部としての繰出機構３７、左右の繰出機構３７にわたる左右向きの駆動軸３８、左右の繰出機構３７による肥料繰り出し量を一括した調節を行う繰出量調節機構３９、繰り出された肥料を圃場に案内する４本の案内ホース４０、圃場に施肥用の溝を形成する４つの作溝器４１、案内ホース４０に搬送風を供給するブロア４２、ホッパー３６の下方に位置してブロア４２から複数の案内ホース４０に搬送風を供給する供給ダクト４３、供給ダクト４３内に残留する肥料をブロア４２からの送風により排出させる排出ダクト４４等が備えられている。尚、詳述はしないが、繰出量調節機構３９は、ハンドル操作により、駆動軸３８の繰り出し用回動量（繰り出し量に対応する）を変更することができる。
【００３６】
施肥フレーム３５について説明する。
図６に示すように、施肥フレーム３５は、繰出機構３７の後側に位置して左右方向に長く延びる後部側フレーム体４５、繰出機構３７の前側に位置して左右方向に長く延びる前部側フレーム体４６、左右方向の適宜箇所において後部側フレーム体４５と前部側フレーム体４６とを連結する複数の前後連結体４７を備えている。施肥フレーム３５は、機体フレーム７の後端部に支持されている。
【００３７】
機体フレーム７から延出して施肥装置１５を下方から支持する左右の第１支持部Ｂ１と、後部側の座席支持フレーム２２から後方に延出して施肥装置１５を前方から支持する第２支持部Ｂ２とが備えられている。
【００３８】
左右の第１支持部Ｂ１は、丸パイプ鋼材からなる支持アーム４８、機体フレーム７に連結する第１連結部材４９、及び、施肥フレーム３５に連結する第２連結部材５０、などを備えている。各支持アーム４８は、側面視で略Ｕ字状に湾曲形成されている。左右の第１連結部材４９は、横向き開口状態で略Ｕ字形に形成されており、支持アーム４８に溶接されている。各第１連結部材４９は、機体フレーム７における略Ｕ字状に形成された連結部材１８に嵌め込んだ状態でボルト連結されている。左右の第２連結部材５０は、上向き開口状態で略Ｕ字形に形成されており、支持アーム４８に溶接されている。
【００３９】
図３に示すように、左右の支持アーム４８は、機体フレーム７に対する連結箇所に対して、施肥装置１５側の連結箇所が右側に寄った位置となるように、施肥装置１５側ほど右側方に向けて湾曲する形状となっている。その結果、左右の支持アーム４８の施肥装置１５に対する取付位置の左右中央位置が、施肥フレーム３５の左右中央位置に対して右側端部に近付いた配置構成となっている。このことにより、繰出量調節機構３９に近い位置を支持することができ、余計な振動を抑制して繰り出し量の調節の精度が向上する。
【００４０】
図８，９に示すように、第２支持部Ｂ２は、後端部が施肥フレーム３５における前部側フレーム体４６にボルト連結され、前後方向に延びる左右の前後向き連結部５２と、左右の前後向き連結部５２が一体的に連絡され且つ左右方向に延びる横向き連結部５３と、横向き連結部５３に一体的に連絡され且つ前方に延びる前側連結部５４とを備えている。前側連結部５４は、正面視で略Ｕ字形に形成され、左右両側の縦面部５４Ａとそれらに亘って延びる水平面部５４Ｂとを有している。
【００４１】
ハンドル付きのボルト５５を用いて、前側連結部５４の水平面部５４Ｂと後部側の座席支持フレーム２２とが連結されている。ハンドル付きのボルト５５を手動で操作することで、前側連結部５４の水平面部５４Ｂと後部側の座席支持フレーム２２との連結及び連結解除を簡単に行えるようにしている。第２支持部Ｂ２における左右の前後向き連結部５２は、平面視で前側に位置するほど右側に位置するように折れ曲がる形状となっている。
【００４２】
次に、施肥装置１５の各部の構成について説明する。
図２，３，７に示すように、２つの繰出機構３７が、機体の後部に左右方向に沿って配置されている。２つの繰出機構３７の上部に亘ってホッパー３６が備えられている。電動式のブロア４２が施肥装置１５の左の横側部に備えられている。ブロア４２に吸入ダクト５７が接続されており、吸入ダクト５７が搭乗運転部１０の下側のエンジン９の近くにまで延出されている。
【００４３】
図７に示すように、ブロア４２に供給ダクト４３が接続されており、供給ダクト４３は、施肥装置１５の左の横側部から右の横側部にわたって左右方向に延びる状態で備えられている。供給ダクト４３は、２つの繰出機構３７の下部に接続されている。夫々の繰出機構３７の下部には、一対の案内ホース４０が接続されており、各案内ホース４０は、整地フロート２９に各植付条に隣接させて設けられた作溝器４１に接続されている。従って、繰出機構３７と作溝器４１とに亘って４本の案内ホース４０が接続されている。
【００４４】
植付作業状態においては、ブロア４２の吸入作用により、空気が吸入ダクト５７を介してブロア４２に吸入され、ブロア４２の搬送風が供給ダクト４３を介して繰出機構３７に供給される。このとき、排出ダクト４４は蓋体によって閉塞されており、搬送風が排出ダクト４４から外方に漏れ出ないようにしている。繰出機構３７が駆動されると、ホッパー３６から肥料が所定量ずつ繰り出され、ブロア４２の搬送風により肥料が案内ホース４０を通って作溝器４１に供給され、作溝器４１によって田面に形成された溝に、肥料が作溝器４１を介して供給される。
【００４５】
植付作業が終了したのちに、ホッパー３６の内部や繰出機構３７の内部に肥料が残留している場合に、その残留している肥料を、ブロア４２からの送風により排出ダクト４４を通して外部に排出させて回収することができる。繰出機構３７の前部から排出ダクト４４の内部に連なる状態で排出具５８が備えられている（図１４参照）。排出具５８の内部には、繰出機構３７の内部と排出具５８の内部とを連通接続する開状態と、接続を遮断する閉状態とに切り換え可能なシャッター（図示せず）が備えられている。植付作業状態では、シャッターを閉状態に切り換えておく。残留肥料を排出するときは、シャッターを開状態に切り換え、且つ、排出ダクト４４の蓋体を取り外して、ブロア４２からの送風により肥料を排出ダクト４４の先端部から外方に排出させる。このとき、図示しない回収容器を用いて残留肥料を回収することができる。
【００４６】
２つの繰出機構３７は、夫々各別に作動状態と作動停止状態とに切り換え可能に構成されている。説明を加えると、施肥装置１５には、左右の繰出機構３７にわたる左右向きの駆動軸３８が備えられている。図１，５に示すように、駆動軸３８に対して、走行車体３の施肥動力取出し軸５９から動力が伝達される。すなわち、図３，５に示すように、施肥動力取出し軸５９の回転に伴って押し引き操作される押引きリンク６０、押引きリンク６０が連係される第１連係アーム６１、第１連係アーム６１が左端部に固定された左右向きの連係軸６２、連係軸６２の右端部に固定された第２連係アーム６３、第１連係アーム６１及び第２連係アーム６３の揺動運動を駆動軸３８の一方向回転に変換する２つのワンウェイクラッチ６４，６５等が備えられている。押引きリンク６０は、第１連係アーム６１に対して左側面に接続されており、右側面に接続する場合に比較して車体横方向に沿うオーバーハング量をできるだけ少なくして、撓み変形が発生し難くなるようにしている。
【００４７】
図４に示すように、駆動軸３８には、各繰出機構３７に備えた入力ギア６６と噛み合い連動する２つの出力ギア６７が相対回転可能に外嵌装着されている。又、駆動軸３８から対応する出力ギア６７への伝動を断続する２つの施肥条数切替クラッチ６８が外嵌装着されている。各施肥条数切替クラッチ６８は、搭乗運転部１０に備えた２本の条数切替レバー６９が操作ワイヤ７０を介して連係され、対応する条数切替レバー６９による断続操作を可能にしている。
【００４８】
図１０に示すように、施肥条数切替クラッチ６８に操作アーム７１が備えられている。図１１に示すように、操作アーム７１には、断面Ｕ字型の本体部７１ａと、操作ピン７１ｂと、操作ワイヤ７０のインナワイヤ７０ａの端部を支持するインナ受け部７１ｃと、が備えられている。操作アーム７１の本体部７１ａ、及び、施肥フレーム３５における後部側フレーム体４５には、上下方向に沿った支軸ピン７２が挿通されており、操作アーム７１は、後部側フレーム体４５に対して支軸ピン７２周りに回動可能に支持されている。操作ピン７１ｂは、本体部７１ａから下方に向けて突設されている。
【００４９】
支軸ピン７２には、アウター受け具７３も回動可能に支持されている。アウター受け具７３は、支軸ピン７２が挿通する支点部７３ａと、操作ワイヤ７０におけるアウターワイヤ７０ｂの端部を支持するワイヤ受け部７３ｂとを備えている。条数切替レバー６９の操作により操作ワイヤ７０が引き操作されると、アウター受け具７３が後述する連係部材７４に形成された接当部７４ａに当たり、それ以上の揺動が規制される。その後、更に、操作ワイヤ７０が引き操作されると、操作ワイヤ７０のインナワイヤ７０ａによりインナ受け部７１ｃが引き操作されて、施肥条数切替クラッチ６８がバネ７５の付勢力に抗して切り操作される。このように、アウター受け具７３も回動可能に支持することで、施肥フレーム３５に溶接する必要がなく、施肥フレーム３５を、例えばアルミ材等、溶接に不向きな材料で構成する場合であっても対応できる。
【００５０】
図１０に示すように、施肥条数切替クラッチ６８の他にも、２条分の植付機構２８への伝動を断続する２つの植付条数切替クラッチ７６、及び、２条分の縦送り機構への伝動を断続する２つの縦送り条数切替クラッチ７７が備えられ、これらも、条数切替レバー６９に連係されている。その結果、植付機構２８、縦送り機構も、繰出機構３７と同様に、２条分毎に動力を断続することができる。
【００５１】
施肥装置１５には、各条数切替レバー６９の操作位置にかかわらず、各繰出機構３７が停止状態又は作動状態に切り替え可能な全条停止機構７８が備えられている。図１０に示すように、全条停止機構７８は、後部側フレーム体４５の上面に沿って位置しており、施肥停止用の停止切替レバー７９と、切替レバー７９の操作に伴って左右方向にスライド可能な連係部材７４とが備えられている。停止切替レバー７９は、施肥装置１５の右側部に設けられ、縦軸芯周りで回動操作可能に支持されている。連係部材７４は、施肥装置１５の左右端部にわたって左右方向に沿って延び、且つ、クラッチ用の操作アーム７１に接当作用する接当作用部８０が備えられている。左側の接当作用部８０は、連係部材７４に一体的に形成され、右側の接当作用部８０は長手方向に位置変更調節可能に連係部材７４に支持されている。
【００５２】
停止切替レバー７９の回動操作に伴って、連係部材７４が右方向にスライドすると、それに伴って、接当作用部８０が操作アーム７１に接当して、各施肥条数切替クラッチ６８が切り操作され、各条数切替レバー６９の操作位置にかかわらず、各繰出機構３７を停止状態に切り換えることができる。停止切替レバー７９は、デテント機構により右位置と左位置との夫々にて位置保持可能に構成されている。
【００５３】
図１１に示すように、連係部材７４は、後部側フレーム体４５の上面に形成された案内溝８１によって機体左右方向にのみスライド可能に載置支持されている。案内溝８１は、後部側フレーム体４５を加工形成する際に、絞り加工によって一体的に形成されるものである。このように構成することで、例えば、後部側フレーム体４５とは別にスライド方向規制用の案内部材を備えて、その案内部材を溶接する構成のように、加工の手間が掛かったり、部材の追加によりコスト高を招いたりすることを回避できる。
【００５４】
図３，５に示すように、施肥フレーム３５における左右の第２連結部材５０に対応する箇所に連結用ブラケット８２が備えられ、連結用ブラケット８２は左右向きの連結ピン８３を介して第２連結部材５０に対して横軸芯Ｐ１周りで回動可能に支持されている。
【００５５】
上述したハンドル付きのボルト５５を手動で操作することで、前側連結部５４の水平面部５４Ｂと後部側の座席支持フレーム２２との連結及び連結解除を簡単に行えるようにしている。
【００５６】
ハンドル付きのボルト５５を操作して、前側連結部５４の水平面部５４Ｂと後部側の座席支持フレーム２２との連結を解除することにより、施肥装置１５を、施肥フレーム３５と左右の第１支持部Ｂ１とを連結する左右向きの連結ピン８３の横軸芯Ｐ１周りで、後方のメンテナンス位置に揺動変位させることができる。これにより、施肥装置１５に備えた各繰出機構３７などに対する清掃などのメンテナンス作業を容易に行うことができる。
【００５７】
〔施肥装置の姿勢切り換え構成〕
施肥装置１５を、肥料供給用の作業位置、作業位置から横軸芯Ｐ１周りで所定方向（後方）に回動して排出ダクト４４が外方に臨む状態で露出する第一位置、第一位置よりも横軸芯Ｐ１周りで所定方向（後方）に回動して排出ダクト４４及び供給ダクト４３が外方に臨む状態で露出する第二位置の夫々にて位置保持可能な位置保持機構ＩＨが備えられている。
【００５８】
図５に示すように、ハンドル付きのボルト５５を用いて、前側連結部５４の水平面部５４Ｂと後部側の座席支持フレーム２２とを連結すると、施肥装置１５が肥料供給用の作業位置にて位置固定される。これが通常の作業状態である。
【００５９】
そして、運転座席１３を前部側に倒したのちハンドル付きのボルト５５を操作して、前側連結部５４の水平面部５４Ｂと後部側の座席支持フレーム２２との連結を解除すると、施肥フレーム３５が左右の第１支持部Ｂ１と連結する左右向きの連結ピン８３の横軸芯Ｐ１周りで、回動可能な状態になる。従って、施肥フレーム３５にて全体が支持される施肥装置１５は、連結ピン８３の横軸芯Ｐ１周りで、後方に回動させることができる。
【００６０】
図１２に示すように、後部側フレーム体４５の下面から下方に向けて一体的に係止部材８６が固定延設されており、係止部材８６の先端部に２つの係止凹部８６ａ，８６ｂが形成されている。施肥装置１５を、後方に向けて傾斜するように回動させ、且つ、後部側の座席支持フレーム２２に備えられている平面視略Ｕ字形の係止アーム８４（姿勢保持具の一例）を、図５に示すように機体側に引退する非作用姿勢から端部の横軸芯Ｐ２周りで上方に回動させる。そして、係止部材８６における２つの係止凹部８６ａ，８６ｂのうち後部側に位置する係止凹部８６ｂに係止アーム８４の遊端部を係止させる。係止アーム８４が係止凹部８６ｂに係止すると、施肥装置１５が作業位置から略４５度傾斜した第一位置に位置保持される。
【００６１】
図１３に示すように、施肥装置１５を第一位置よりも更に後方に向けて傾斜させるように回動させ、且つ、係止アーム８４を、係止部材８６における２つの係止凹部８６ａ，８６ｂのうち前部側に位置する係止凹部８６ａに係止させると、施肥装置１５が作業位置から略９０度傾斜した第二位置に位置保持される。第一位置及び第二位置に切り換わった状態が、係止アーム８４が施肥装置１５側に張り出した作用姿勢に対応する。
【００６２】
従って、座席支持フレーム２２に備えられている係止アーム８４、及び、後部側フレーム体４５の下面から固定延設された係止部材８６により、位置保持機構ＩＨが構成されている。このように、単一の部材である係止部材８６を用いて第一位置と第二位置との夫々にて位置保持することができる。
【００６３】
施肥装置１５は、作業位置から第一位置あるいは第二位置に姿勢変更するのに伴って、案内ホース４０が繰出機構３７から着脱可能に構成されている。図５に示すように、４本の案内ホース４０は、供給ダクト４３に備えられた接続筒体８７に対して抜き差し可能に接続される構成となっている。そして、図３，５に示すように、各案内ホース４０の端部を保持するホース保持具８８が、左右の支持アーム４８から延設される状態で備えられている。施肥装置１５を作業位置から第一位置あるいは第二位置に姿勢変更させるために、横軸芯Ｐ１周りで回動させると、各案内ホース４０の端部がホース保持具８８により支持されているから、案内ホース４０を接続筒体８７から抜き外すことができる。
【００６４】
施肥装置１５を第一位置に回動させて位置保持しておくと、図１２に示すように、排出ダクト４４が外方に臨む状態で露出する。このとき、排出具５８が繰出機構３７よりも機体前方に位置している。又、排出具８は、繰出機構３７から着脱可能に設けられている。その結果、例えば、排出ダクト４４を取り外して、排出ダクト４４の内部の清掃その他のメンテナンス作業を容易に行うことができる。又、施肥装置１５を第二位置に回動させて位置保持しておくと、図１３に示すように、排出ダクト４４だけでなく供給ダクト４３も共に外方に臨む状態で露出することになる。その結果、ブロア４２との接続を解除して、排出ダクト４４だけでなく供給ダクト４３も取り外して、それらの各ダクト４３，４４の内部の清掃等の大掛かりなメンテナンス作業を行う場合であっても、容易に行うことができる。この場合、各ダクト４３，４４の内部の清掃に限らず、繰出機構３７の上方が大きく開放された状態となるので、繰出機構３７のケースを開放させて繰出機構３７の内部を清掃する作業等も行い易いものになる。又、図１７に示すように、第二位置に切り換えた状態では、供給ダクト４３に備えられた接続筒体８７の先端開口（案内ホースへの供給口）が圃場を向いている。すなわち、下方に向いた状態となり、供給ダクトや接続筒体の内部に残留している肥料がそのまま外方に落下放出される。
【００６５】
図１４，１５に示すように、左右方向すなわちダクト長手方向に間隔をあけた複数の箇所において、排出ダクト４４と供給ダクト４３とを一体的に保持する側面視略Ｃ形のダクト保持具８９が備えられる構成としてもよい。このようなダクト保持具８９を備えると、排出ダクト４４と供給ダクト４３とを手間なく一体的に取り外すことができ、作業能率の向上を図ることができる。
【００６６】
〔別実施形態〕
（１）上記実施形態では、位置保持機構ＩＨが、座席支持フレーム２２側に備えられた係止アーム８４及び係止部材８６により構成するものを示したが、この構成に代えて、図１６に示すように、係止アーム８４の遊端部を前側連結部５４の水平面部５４Ｂの前端部に形成されている被係止部８５に係止させることにより、第一位置にて位置保持させる構成とし、図１７に示すように、第二位置では、係止アーム８４の遊端部を、係止部材８６の先端部に形成した１つの係止凹部８６ａに係止させる構成としてもよい。この実施形態では、係止アーム８４、前側連結部５４に形成されている被係止部８５、及び、係止部材８６等により、位置保持機構ＩＨが構成されている。位置保持機構としては、上記構成以外にも、例えば、施肥フレーム３５の回動支点部に、回動姿勢を作業位置、第一位置、第二位置の夫々に切り換え可能な回動角調節機構を備える構成としてもよく、位置保持の構成は種々変更して実施することができる。
【００６７】
（２）上記実施形態では、施肥装置１５が作業位置から第一位置あるいは第二位置に姿勢変更するのに伴って、案内ホース４０が繰出機構３７から着脱可能となる構成としたが、このような構成に代えて、施肥装置１５の姿勢変更にかかわらず案内ホース４０が繰出機構３７と接続される状態が維持される構成として手作業によって抜き外すようにしてもよい。
【００６８】
（３）上記実施形態では、施肥装置１５が作業位置から第一位置あるいは第二位置に姿勢変更しても、排出ダクト４４との繰出機構３７とが排出具５８を介して接続される構成としたが、この構成に代えて、施肥装置１５が作業位置から第一位置あるいは第二位置に姿勢変更するのに伴って、排出具５８が繰出機構３７から着脱可能な構成としてもよい。
【００６９】
（４）上記実施形態では、排出ダクト４４と供給ダクト４３とを一体的に保持するダクト保持具８９が備えられる構成としたが、このようなダクト保持具８９が備えられていない構成としてもよい。
【００７０】
（５）上記実施形態では、２つの繰出機構３７が備えられているものが示されているが、この構成に代えて、３つ以上の複数の繰出機構３７が備えられていてもよい。
【００７１】
（６）上記実施形態では、粉粒体供給装置として、粉粒体の一例である肥料を供給する施肥装置１５が示されているが、この構成に代えて、圃場や苗等へ粉粒体の一例である薬剤を散布する薬剤散布装置、圃場へ粉粒体の一例である種籾を直播する直播装置等の他の粉粒体供給装置であってもよい。
【産業上の利用可能性】
【００７２】
本発明は、例えば、農用の肥料、薬剤及び種子等の粉粒体を圃場に供給する粉粒体供給装置を備えている水田作業機に適用できる。
【符号の説明】
【００７３】
１５      粉粒体供給装置
３７      繰り出し部
４０      案内ホース
４２      ブロア
４３      供給ダクト
４４      排出ダクト
８９      ダクト保持具
ＩＨ      位置保持機構
【図１】
2020141612.tif 000003
【図２】
2020141612.tif 000004
【図３】
2020141612.tif 000005
【図４】
2020141612.tif 000006
【図５】
2020141612.tif 000007
【図６】
2020141612.tif 000008
【図７】
2020141612.tif 000009
【図８】
2020141612.tif 000010
【図９】
2020141612.tif 000011
【図１０】
2020141612.tif 000012
【図１１】
2020141612.tif 000013
【図１２】
2020141612.tif 000014
【図１３】
2020141612.tif 000015
【図１４】
2020141612.tif 000016
【図１５】
2020141612.tif 000017
【図１６】
2020141612.tif 000018
【図１７】
2020141612.tif 000019